(57)【要約】【課題】電子機器を遠隔操作により起動させる遠隔起動システムを、電力線を介して接続された複数の電子機器間で情報の送受信を行う電力線搬送通信システムに適用することで、システムの構築にかかるコストや手間を低減させる。【解決手段】サーバ装置１において、ユーザによるキー操作を受け付けるキー操作部を備え、送信手段は、キー操作部におけるキー操作に基づいて、第１クライアント端末装置２の電源オンを要求する電源オン要求信号を、電力線Ｐを介して第１クライアント端末装置２に送信する。また、第１クライアント端末装置２において、受信手段は、サーバ装置１から電力線Ｐを介して送信された電源オン要求信号を受信し、電源オン制御手段は、受信手段により受信された電源オン要求信号に基づいて、当該第１クライアント端末装置１の電源をオンする。【選択図】図１
2008141499.tif 000002
【特許請求の範囲】
【請求項１】
電力線を利用した通信回線を介して接続された、第１電子機器と、第２電子機器と、第３電子機器と、の間で、情報の送受信を行う電力線搬送通信システムにおいて、
前記第１電子機器は、
ユーザによるキー操作を受け付けるキー操作部と、
前記キー操作部におけるキー操作に基づいて、前記第２電子機器の電源オンを要求する第１電源オン要求信号を、前記電力線を介して前記第２電子機器に送信する第１送信手段と、
を備え、
前記第２電子機器は、
電源オンモードにおいて、電源が供給されて電源オン状態とされる第１メイン処理部と、
前記第１メイン処理部が電源オフ状態とされる待機モードにおいて、電源が供給されて電源オン状態とされる第１ＰＬＣ処理部と、を備え、
前記第１ＰＬＣ処理部は、
待機モードにおいて、前記第１電子機器から前記電力線を介して送信された前記第１電源オン要求信号を受信する第１受信手段と、
前記第１受信手段により受信された前記第１電源オン要求信号に基づいて、前記第１メイン処理部への電源供給を行って電源オンモードとする第１電源オン制御手段と、
前記第１受信手段により受信された前記第１電源オン要求信号に基づいて、前記第３電子機器の電源オンを要求する第２電源オン要求信号を、前記電力線を介して前記第３電子機器に送信する第２送信手段と、
を備え、
前記第３電子機器は、
電源オンモードにおいて、電源が供給されて電源オン状態とされる第２メイン処理部と、
前記第２メイン処理部が電源オフ状態とされる待機モードにおいて、電源が供給されて電源オン状態とされる第２ＰＬＣ処理部と、を備え、
前記第２ＰＬＣ処理部は、
待機モードにおいて、前記第２電子機器から前記電力線を介して送信された前記第２電源オン要求信号を受信する第２受信手段と、
前記第２受信手段により受信された前記第２電源オン要求信号に基づいて、前記第２メイン処理部への電源供給を行って電源オンモードとする第２電源オン制御手段と、
を備えることを特徴とする電力線搬送通信システム。
【請求項２】
電力線を利用した通信回線を介して接続された第１電子機器及び第２電子機器の間で、情報の送受信を行う電力線搬送通信システムにおいて、
前記第１電子機器は、
ユーザによるキー操作を受け付けるキー操作部と、
前記キー操作部におけるキー操作に基づいて、前記第２電子機器の電源オンを要求する電源オン要求信号を、前記電力線を介して前記第２電子機器に送信する送信手段と、
を備え、
前記第２電子機器は、
前記第１電子機器から前記電力線を介して送信された前記電源オン要求信号を受信する受信手段と、
前記受信手段により受信された前記電源オン要求信号に基づいて、当該第２電子機器の電源をオンする電源オン制御手段と、
を備えることを特徴とする電力線搬送通信システム。
【請求項３】
電力線を利用した通信回線を介して接続された第１電子機器及び第２電子機器の間で、情報の送受信を行う電力線搬送通信システムにおいて、
前記第１電子機器は、
電源をオンする電源オンキーと、
前記電源オンキーのキー操作に基づいて、当該第１電子機器の電源をオンする第１電源オン制御手段と、
前記電源オンキーのキー操作に基づいて、前記第２電子機器の電源オンを要求する電源オン要求信号を、前記電力線を介して前記第２電子機器に送信する送信手段と、
を備え、
前記第２電子機器は、
前記第１電子機器から前記電力線を介して送信された前記電源オン要求信号を受信する受信手段と、
前記受信手段により受信された前記電源オン要求信号に基づいて、当該第２電子機器の電源をオンする第２電源オン制御手段と、
を備えることを特徴とする電力線搬送通信システム。
【請求項４】
前記電力線を利用した通信回線を介して前記第２電子機器と接続された第３電子機器を備え、
前記第２電子機器は、
前記受信手段により受信された前記電源オン要求信号に基づいて、前記第３電子機器の電源オンを要求する第２電源オン要求信号を、前記電力線を介して前記第３電子機器に送信する第２送信手段を備え、
前記第３電子機器は、
前記第２電子機器から前記電力線を介して送信された前記第２電源オン要求信号を受信する第２受信手段と、
前記第２受信手段により受信された前記第２電源オン要求信号に基づいて、当該第３電子機器の電源をオンする第２電源オン制御手段と、
を備えることを特徴とする請求項２に記載の電力線搬送通信システム。
【発明の詳細な説明】
【技術分野】
【０００１】
本発明は、複数の電子機器間で、電力線を介して情報の送受信を行う電力線搬送通信システムに関する。
【背景技術】
【０００２】
従来、電力を供給する低周波に、高周波の通信信号を重畳して情報を伝送する電力線搬送通信（PLC：Power Line Communications）の技術が知られている。
電力線搬送通信技術として、例えば、特許文献１には、複数の電気機器が電力線を用いてネットワーク化され、全消費電力を定格容量内に制御する電力制御システムにおいて、電気機器の稼動状態に応じてリアルタイムに電力削減可能な電気機器を決定することにより、電力削減した機器の稼動状態に不都合が発生することを防止するための技術が開示されている。
また、例えば、特許文献２には、受信したフレームに対する承認等のためのＡＣＫフレームを返送する際、その送信出力を返送先までの減衰率に応じて設定することにより、コストをかけずに送信電力を削減し、かつ、受信待機時の消費電力が削減された電力線搬送通信装置が開示されている。
さらに、例えば、特許文献３には、電子機器の消費電力が少なく、容易に電力線搬送通信が可能となる電力線搬送通信システムが開示されている。
【特許文献１】特開２００１−１４５２６２号公報
【特許文献２】特開２００２−１１１５５３号公報
【特許文献３】特開２００６−１４８５９３号公報
【発明の開示】
【発明が解決しようとする課題】
【０００３】
ところで、複数の電子機器が無線ＬＡＮ(Local Area Network)により接続された無線ＬＡＮシステムでは、無線ＬＡＮに接続された待機状態のパソコンに対して、マジックパケットと呼ばれるパケットを送信することで、このパソコンを遠隔地から起動することができるＷａｋｅ―Ｏｎ―ＬＡＮ（以下、ＷＯＬと称する）と呼ばれる遠隔起動システムが開発されている。
しかしながら、従来、このような遠隔起動システムを実現するためには無線ＬＡＮシステムの構築が必要となるため、コストが増大したり、ユーザの手間がかかるといった問題があった。
【０００４】
本発明の課題は、電子機器を遠隔操作により起動させる遠隔起動システムを、電力線を介して接続された複数の電子機器間で情報の送受信を行う電力線搬送通信システムに適用することで、システムの構築にかかるコストや手間を低減させることである。
【課題を解決するための手段】
【０００５】
上記課題を解決するため、請求項１に記載の発明は、電力線を利用した通信回線を介して接続された、第１電子機器と、第２電子機器と、第３電子機器と、の間で、情報の送受信を行う電力線搬送通信システムにおいて、
前記第１電子機器は、
ユーザによるキー操作を受け付けるキー操作部と、
前記キー操作部におけるキー操作に基づいて、前記第２電子機器の電源オンを要求する第１電源オン要求信号を、前記電力線を介して前記第２電子機器に送信する第１送信手段と、
を備え、
前記第２電子機器は、
電源オンモードにおいて、電源が供給されて電源オン状態とされる第１メイン処理部と、
前記第１メイン処理部が電源オフ状態とされる待機モードにおいて、電源が供給されて電源オン状態とされる第１ＰＬＣ処理部と、を備え、
前記第１ＰＬＣ処理部は、
待機モードにおいて、前記第１電子機器から前記電力線を介して送信された前記第１電源オン要求信号を受信する第１受信手段と、
前記第１受信手段により受信された前記第１電源オン要求信号に基づいて、前記第１メイン処理部への電源供給を行って電源オンモードとする第１電源オン制御手段と、
前記第１受信手段により受信された前記第１電源オン要求信号に基づいて、前記第３電子機器の電源オンを要求する第２電源オン要求信号を、前記電力線を介して前記第３電子機器に送信する第２送信手段と、
を備え、
前記第３電子機器は、
電源オンモードにおいて、電源が供給されて電源オン状態とされる第２メイン処理部と、
前記第２メイン処理部が電源オフ状態とされる待機モードにおいて、電源が供給されて電源オン状態とされる第２ＰＬＣ処理部と、を備え、
前記第２ＰＬＣ処理部は、
待機モードにおいて、前記第２電子機器から前記電力線を介して送信された前記第２電源オン要求信号を受信する第２受信手段と、
前記第２受信手段により受信された前記第２電源オン要求信号に基づいて、前記第２メイン処理部への電源供給を行って電源オンモードとする第２電源オン制御手段と、
を備えることを特徴とする。
【０００６】
請求項２に記載の発明は、電力線を利用した通信回線を介して接続された第１電子機器及び第２電子機器の間で、情報の送受信を行う電力線搬送通信システムにおいて、
前記第１電子機器は、
ユーザによるキー操作を受け付けるキー操作部と、
前記キー操作部におけるキー操作に基づいて、前記第２電子機器の電源オンを要求する電源オン要求信号を、前記電力線を介して前記第２電子機器に送信する送信手段と、
を備え、
前記第２電子機器は、
前記第１電子機器から前記電力線を介して送信された前記電源オン要求信号を受信する受信手段と、
前記受信手段により受信された前記電源オン要求信号に基づいて、当該第２電子機器の電源をオンする電源オン制御手段と、
を備えることを特徴とする。
【０００７】
請求項３に記載の発明は、電力線を利用した通信回線を介して接続された第１電子機器及び第２電子機器の間で、情報の送受信を行う電力線搬送通信システムにおいて、
前記第１電子機器は、
電源をオンする電源オンキーと、
前記電源オンキーのキー操作に基づいて、当該第１電子機器の電源をオンする第１電源オン制御手段と、
前記電源オンキーのキー操作に基づいて、前記第２電子機器の電源オンを要求する電源オン要求信号を、前記電力線を介して前記第２電子機器に送信する送信手段と、
を備え、
前記第２電子機器は、
前記第１電子機器から前記電力線を介して送信された前記電源オン要求信号を受信する受信手段と、
前記受信手段により受信された前記電源オン要求信号に基づいて、当該第２電子機器の電源をオンする第２電源オン制御手段と、
を備えることを特徴とする。
【０００８】
請求項４に記載の発明は、請求項２に記載の電力線搬送通信システムにおいて、前記電力線を利用した通信回線を介して前記第２電子機器と接続された第３電子機器を備え、
前記第２電子機器は、
前記受信手段により受信された前記電源オン要求信号に基づいて、前記第３電子機器の電源オンを要求する第２電源オン要求信号を、前記電力線を介して前記第３電子機器に送信する第２送信手段を備え、
前記第３電子機器は、
前記第２電子機器から前記電力線を介して送信された前記第２電源オン要求信号を受信する第２受信手段と、
前記第２受信手段により受信された前記第２電源オン要求信号に基づいて、当該第３電子機器の電源をオンする第２電源オン制御手段と、
を備えることを特徴とする。
【発明の効果】
【０００９】
請求項１に記載の発明によれば、第１電子機器において、ユーザによるキー操作を受け付けるキー操作部が備わり、第１送信手段により、キー操作部におけるキー操作に基づいて、第２電子機器の電源オンを要求する第１電源オン要求信号が、電力線を介して第２電子機器に送信され、第２電子機器において、電源オンモードにおいて、電源が供給されて電源オン状態とされる第１メイン処理部と、第１メイン処理部が電源オフ状態とされる待機モードにおいて、電源が供給されて電源オン状態とされる第１ＰＬＣ処理部と、が備わり、第１ＰＬＣ処理部において、第１受信手段により、待機モードにおいて、第１電子機器から電力線を介して送信された第１電源オン要求信号が受信され、第１電源オン制御手段により、第１受信手段により受信された第１電源オン要求信号に基づいて、第１メイン処理部への電源供給が行われて電源オンモードとされ、第２送信手段により、第１受信手段により受信された第１電源オン要求信号に基づいて、第３電子機器の電源オンを要求する第２電源オン要求信号が、電力線を介して第３電子機器に送信され、第３電子機器において、電源オンモードにおいて、電源が供給されて電源オン状態とされる第２メイン処理部と、第２メイン処理部が電源オフ状態とされる待機モードにおいて、電源が供給されて電源オン状態とされる第２ＰＬＣ処理部と、が備わり、第２ＰＬＣ処理部において、第２受信手段により、待機モードにおいて、第２電子機器から電力線を介して送信された第２電源オン要求信号が受信され、第２電源オン制御手段により、第２受信手段により受信された第２電源オン要求信号に基づいて、第２メイン処理部への電源供給が行われて電源オンモードとされる。
したがって、電力線に接続された電子機器を遠隔操作により起動させる遠隔起動システムを、電力線を介して接続された複数の電子機器間で情報の送受信を行う電力線搬送通信システムに適用することにより、システムの構築にかかるコストや手間を低減させることができる。また、遠隔起動の対象となる電子機器のＰＬＣ処理部に電源を供給すれば、メイン処理部に電源を供給する必要が無いこととなって、遠隔起動の対象となる電子機器の待機電力を低減させることができる。さらに、第１電子機器において所定のキー操作を行うだけで、当該第１電子機器に接続された第２電子機器及び第３電子機器を遠隔起動することが可能となって、電子機器の利便性を向上させることができる。
【００１０】
請求項２に記載の発明によれば、第１電子機器において、ユーザによるキー操作を受け付けるキー操作部が備わり、送信手段により、キー操作部におけるキー操作に基づいて、第２電子機器の電源オンを要求する電源オン要求信号が、電力線を介して第２電子機器に送信される。また、第２電子機器において、受信手段により、第１電子機器から電力線を介して送信された電源オン要求信号が受信され、電源オン制御手段により、受信手段により受信された電源オン要求信号に基づいて、当該第２電子機器の電源がオンされる。
したがって、電力線に接続された電子機器を遠隔操作により起動させる遠隔起動システムを、電力線を介して接続された複数の電子機器間で情報の送受信を行う電力線搬送通信システムに適用することにより、システムの構築にかかるコストや手間を低減させることができる。また、第１電子機器において所定のキー操作を行うだけで、当該第１電子機器に接続された第２電子機器を遠隔起動することが可能となって、電子機器の利便性を向上させることができる。
【００１１】
請求項３に記載の発明によれば、第１電子機器において、電源をオンする電源オンキーが備わり、第１電源オン制御手段により、電源オンキーのキー操作に基づいて、当該第１電子機器の電源がオンされ、送信手段により、電源オンキーのキー操作に基づいて、第２電子機器の電源オンを要求する電源オン要求信号が、電力線を介して第２電子機器に送信される。また、第２電子機器において、受信手段により、第１電子機器から電力線を介して送信された電源オン要求信号が受信され、第２電源オン制御手段により、受信手段により受信された電源オン要求信号に基づいて、当該第２電子機器の電源がオンされる。
したがって、電力線に接続された電子機器を遠隔操作により起動させる遠隔起動システムを、電力線を介して接続された複数の電子機器間で情報の送受信を行う電力線搬送通信システムに適用することにより、システムの構築にかかるコストや手間を低減させることができる。また、第１電子機器の電源をオンすれば、当該第１電子機器に接続された第２電子機器の電源も自動的にオンされることとなって、電子機器の利便性を向上させることができる。
【００１２】
請求項４に記載の発明によれば、請求項２に記載の発明の効果が得られるのは無論のこと、第２電子機器において、受信手段により受信された電源オン要求信号に基づいて、第３電子機器の電源オンを要求する第２電源オン要求信号が、電力線を介して第３電子機器に送信され、第３電子機器は、第２電子機器から電力線を介して送信された第２電源オン要求信号が受信され、第２電源オン制御手段により、第２受信手段により受信された第２電源オン要求信号に基づいて、第３電子機器の電源がオンされる。
したがって、第１電子機器において所定のキー操作を行うだけで、当該第１電子機器に接続された第２電子機器及び第３電子機器を遠隔起動することが可能となって、電子機器の利便性を更に向上させることができる。
【発明を実施するための最良の形態】
【００１３】
以下、図面を参照しながら、本発明の実施の形態を詳細に説明する。なお、発明の範囲は図示例に限定されない。
【００１４】
（実施形態１）
まず、図１〜５を参照しながら、本発明を適用した実施形態１の電力線搬送通信システム１００について説明する。図１は、本実施形態１における電力線搬送通信システム１００の全体構成を示す図である。
【００１５】
本実施形態１の電力線搬送通信システム１００は、例えば、図１に示すように、家屋Ｂにおいて実現されるネットワークであり、各部屋Ｒに設けられた第１電子機器としてのサーバ装置１、第２電子機器としての第１クライアント端末装置２、第３電子機器としての第２クライアント端末装置３が、電力線Ｐを利用した通信回線である電力線通信回線４を介して接続されている。
第１クライアント端末装置２は、例えば、映像・音声データ等の情報を再生し、再生した映像・音声データを、サーバ装置１を介して第２クライアント端末装置３に送信する再生装置等である。また、第２クライアント端末装置３は、例えば、再生装置である第１クライアント端末装置２からサーバ装置１を介して送信された映像・音声データに基づいて、映像・音声等を出力する出力装置等である。
【００１６】
当該電力線通信回線４を構成する電力線Ｐは、図示しない屋外の配電変電所と柱上変圧器４２の間の高圧配電線と、柱上変圧器４２と家屋Ｂの間の低圧配電線及び引込み線と、家屋Ｂにおける屋内配線と、から構成されており、配電変電所（図示省略）及び電柱４１に設けられた柱上変圧器４２を経由して、配電所（図示省略）から送られてくる５０／６０Ｈｚの電源を、家屋Ｂに設けられた分電盤４３により、各部屋Ｒに備わる複数の電源ソケット４４・・・まで伝達する役割を果たしている。
本実施形態１の電力線搬送通信システム１００では、電力線通信回線４を構成する電力線Ｐにより伝達される電源に高周波（例えば、１０ｋＨｚ〜４５０ｋＨｚ）の電力線重畳信号を重畳して伝送することにより、家屋Ｂに設けられたサーバ装置１、第１クライアント端末装置２、第２クライアント端末装置３を互いに接続して、各装置間における情報の送受信を実現するものである。
【００１７】
（サーバ装置の構成）
まず、図２を参照しながら、サーバ装置１の構成について説明する。
図２に示すように、サーバ装置１は、電源プラグ１１と、リモコン１２等に設けられたキー操作部１２１と、装置本体１３内のリモコン信号受光部１４、電源基板１５、ＰＬＣ処理部１６、メイン処理部１７と、等を備えて構成されており、電源プラグ１１により各部屋Ｒに設けられた電源ソケット４４に接続される。電源基板１５、ＰＬＣ処理部１６、メイン処理部１７は、それぞれ制御バス１８により接続されており、さらに、ＰＬＣ処理部１６及びメイン処理部１７は、電源スイッチ線１９により電源基板１５と接続される。
【００１８】
電源プラグ１１は、電力線Ｐの電源が供給される電源ソケット４４に差し込まれることにより、電力線Ｐにより伝達される電源を受電し、受電した電源を装置本体１３に伝達する。
【００１９】
キー操作部１２１は、複数のキーを備えて構成され、例えば、サーバ装置１を遠隔操作するためのリモートコントローラ（以下、リモコンと称する）１２に備わる。リモコン１２等に備わる当該キー操作部１２１において、ユーザによりキーの押下操作がなされると、押下されたキーに対応する入力操作信号が出力され、当該入力操作信号が装置本体１３に設けられたリモコン信号受光部１４を介して、メイン処理部１７に出力されることとなる。
当該キー操作部１２１には、例えば、当該サーバ装置１の電源をオン／オフするための第１電源オンキー１２１ａ、当該サーバ装置１に電力線Ｐを介して接続される第１クライアント端末装置２（第１クライアント端末装置２及び第２クライアント端末装置３）の電源を、遠隔制御によりオン／オフするための第２電源オンキー１２１ｂ等が備わっている。
【００２０】
電源基板１５は、例えば、図示は省略するが、整流回路、平滑回路、スイッチング素子、パルストランス、整流ダイオード、チョークコイル、平滑コンデンサ、還流ダイオード等を備え、電源プラグ１１から供給される電源に対して所定の電源処理を行って、ＰＬＣ処理部１６と、メイン処理部１７とに、電源スイッチ線１９を介して電源を供給する。なお、当該電源基板１５では、後述する第１クライアント端末装置２における電源処理と同様の処理が行われるため、ここでの説明は省略する。
【００２１】
ＰＬＣ処理部１６は、例えば、変復調部１６１、アクセス処理部１６２、図示しないＤ／Ａ(Digital/Analog)変換器、図示しない送信信号用のＢＰＦ（バンドパスフィルタ）、図示しない増幅器、電力線カプラ１６３、図示しない受信信号用のＢＦＰ（バンドパスフィルタ）、図示しないＡＧＣ(Automatic Gain Control:自動ゲイン制御)回路、図示しないＡ／Ｄ(Analog/Digital)変換器、サブＣＰＵ (Central Processing Unit) １６４等を備えて構成される。ＰＬＣ処理部１６は電源スイッチ線１９により電源基板１５と接続されており、電源基板１５から電源スイッチ線１９を介して供給される電源に基づいて、電源オンモード及び待機モードにおいて、電源オン状態に制御される。
【００２２】
変復調部１６１は、電力線重畳信号を送信する送信モードにおいて、メイン処理部１７から入力される、電力線Ｐに重畳して送信するためのデータを変調して電力線重畳信号を生成し、アクセス処理部１６２に出力する。
具体的には、変復調部１６１は、メイン処理部１７から第１電源オン要求信号Ｓｇ１が入力されると、当該第１電源オン要求信号Ｓｇ１を変調して電力線重畳信号に変換し、アクセス処理部１６２に出力する。
当該変復調部１６１は、例えば、電力線Ｐからの漏洩電波による影響の少ない直交周波数分割多重（OFDM: Orthogonal Frequency Division Multiplexing）変調方式を用いるものとする。具体的には、ＯＦＤＭ変調方式が採用された変復調部１６１では、メイン処理部１７から入力される送信データをシリアルパラレル変換して、複数のサブキャリアに分割する。そして、分割されたサブキャリアをＢＰＳＫ(Binary Phase Shift Keying:二位相変移変調)、ＱＰＳＫ(Quadrature Phase Shift Keying:四位相変移変調)、１６ＱＡＭ(Quadrature Amplitude Modulation：直交振幅変調)、６４ＱＡＭ等の変調方式により変調し、これを逆フーリエ変換（IDFT: Inverse Discrete Fourier Transformer）して、マルチキャリア信号波を生成する。さらに、生成したマルチキャリア信号波に、マルチパス障害を回避するためのガードインターバル（GI）を挿入した後に、パラレルシリアル変換して時間軸上にまとめＤ／Ａ変換する。これにより、ＯＦＤＭ変調された電力線重畳信号が生成される。
【００２３】
アクセス処理部１６２は、電力線重畳信号を送信する送信モードにおいて、変復調部１６１から入力される、送信データに基づいて生成された電力線重畳信号に対して、宛先のアドレスを示す宛先ヘッダと、送信元である当該サーバ装置１のアドレスを示す送信元ヘッダと等のヘッダ情報を付加することにより、送信可能なデータ形式に変換して、後段のＤ／Ａ変換器においてアナログ信号に変換し、ＢＰＦで雑音成分を除去し、増幅器において増幅した後に、電力線カプラ１６３に出力する。
具体的には、アクセス処理部１６２は、変復調部１６１から電力線重畳信号に変換された第１電源オン要求信号Ｓｇ１が入力されると、当該第１電源オン要求信号Ｓｇ１に基づく電力線重畳信号に対して、第１クライアント端末装置２のアドレスを示す宛先ヘッダと、サーバ装置１のアドレスを示す送信元ヘッダと、を付加する。
【００２４】
電力線カプラ１６３は、例えば、図示しないトランス、コンデンサ等を用いて構成されており、電力線重畳信号を送信する送信モードにおいて、トランス及びコンデンサにより、アクセス処理部１６２から入力される電力線重畳信号を電力線Ｐに重畳することにより、電力線通信回線４に送出する。
具体的には、電力線カプラ１６３は、アクセス処理部１６２からヘッダ情報が付加されて送信可能なデータ形式に変換された第１電源オン要求信号Ｓｇ１に基づく電力線重畳信号が入力されると、当該電力線重畳信号を電力線Ｐに重畳して電力線通信回線４に送出し、送信先である第１クライアント端末装置２に電力線Ｐを介して送信する。
【００２５】
なお、上述のＰＬＣ処理部１６では、電力線Ｐから送信されてくる電力線重畳信号を受信する受信モードでは逆の工程をとることとなるが、ここでの説明は省略する。
【００２６】
サブＣＰＵ１６４は、ＰＬＣ処理部１６に電源が供給されて電源オン状態とされるとともに、メイン処理部１７に電源が供給されずに電源オフ状態とされる待機モードにおいて、電源基板１５及びＰＬＣ処理部１６の各部を制御する。
【００２７】
メイン処理部１７は、例えば、ＣＰＵ１７１、ＲＡＭ (Random Access Memory) １７２、ＲＯＭ (Read Only Memory) １７３等を備えて構成されている。メイン処理部１７は電源スイッチ線１９により電源基板１５と接続されており、電源基板１５から電源スイッチ線１９を介して供給される電源に基づいて、電源オンモードでは電源オン状態に、また、待機モードでは電源オフ状態に制御される。
【００２８】
ＣＰＵ１７１は、ＰＬＣ処理部１６及びメイン処理部１７に電源が供給されて電源オン状態とされる電源オンモードにおいて、サーバ装置１の各部から入力された入力信号に応じて、ＲＯＭ１７３に格納された各種プログラムを実行するとともに，実行にかかるプログラムに基づいて各部に出力信号を出力することによって、サーバ装置１の動作全般を統括制御する。
【００２９】
ＲＡＭ１７２は、ＣＰＵ１７１によって各種プログラムが実行される際に生じる処理結果や、入力されたデータ等を一時的に記憶する。
【００３０】
ＲＯＭ１７３は、例えば、ＰＬＣ処理部１６及びメイン処理部１７に電源が供給されて電源オン状態とされる電源オンモードにおいて、ＣＰＵ１７１によって実行される各種プログラムを記憶しており、具体的には、第１送信プログラム１７３ａを記憶している。
【００３１】
第１送信プログラム１７３ａは、例えば、ＣＰＵ１７１に、キー操作部１２１におけるキー操作に基づいて、第１クライアント端末装置２の電源オンを要求する第１電源オン要求信号Ｓｇ１を、電力線Ｐを介して第１クライアント端末装置２に送信する機能を実現させるためのプログラムである。
具体的には、ＰＬＣ処理部１６及びメイン処理部１７に電源が供給されて電源オン状態とされる電源オンモードにおいて、ユーザにより、リモコン１２のキー操作部１２１に備わる第２電源オンキー１２１ｂが押下操作されると、当該第２電源オンキー１２１ｂに対応する入力操作信号がリモコン信号受光部１４を介してメイン処理部１７に入力される。ＣＰＵ１７１は、キー操作部１２１から第２電源オンキー１２１ｂに対応する入力操作信号が入力されると、電力線Ｐを介してサーバ装置１に接続される第１クライアント端末装置２の電源オンを要求する第１電源オン要求信号Ｓｇ１を、ＰＬＣ処理部１６に出力させる。そして、ＰＬＣ処理部１６の変復調部１６１により、第１電源オン要求信号Ｓｇ１を電力線重畳信号の形式に変換させ、その後、アクセス処理部１６２により、第１クライアント端末装置２のアドレスを示す宛先ヘッダ及びサーバ装置１のアドレス示す送信元ヘッダを付加させ、さらに、電力線カプラ１６３により、第１電源要求信号Ｓｇ１に基づく当該電力線重畳信号を電力線Ｐに重畳させて、第１クライアント端末装置２に対して電力線Ｐを介して送信する。
ＣＰＵ１７１は、かかる第１送信プログラム１７３ａを実行することにより第１送信手段として機能する。
【００３２】
（第１クライアント端末装置の構成）
次に、図３を参照しながら、第１クライアント端末装置２の構成について説明する。当該第１クライアント端末装置２は、例えば、映像・音声データを再生し、サーバ装置１を介して、再生された映像・音声データを出力装置等の第２クライアント端末装置３に送信する再生装置等であり、例えば、ＤＶＤ(Digital Versatile Disc)プレーヤ、ビデオレコーダ、ＰＶＲ(Personal Video Recorder)、オーディオ装置、ＢＳ(Broad Satellite)放送やＣＳ(Communication Satellite)放送のチューナ、ＳＴＢ(Set Top Box)等を適用することができる。
図３に示すように、第１クライアント端末装置２は、電源プラグ２１と、装置本体２２内の第１電源基板２３、第１ＰＬＣ処理部２４、第１メイン処理部２５と等を備えて構成されており、電源プラグ２１により各部屋Ｒに設けられた電源ソケット４４に接続される。第１電源基板２３、第１ＰＬＣ処理部２４、第１メイン処理部２５は、それぞれ制御バス２６により接続されており、さらに、第１ＰＬＣ処理部２４及び第１メイン処理部２５は、電源スイッチ線２７により第１電源基板２３と接続される。
【００３３】
電源プラグ２１は、電力線Ｐの電源が供給される電源ソケット４４に差し込まれることにより、電力線Ｐにより伝達される電源を受電し、受電した電源を装置本体２２に伝達する。
【００３４】
第１電源基板２３は、例えば、フォワード型のスイッチング電源方式が採用されている。具体的には、第１電源基板２３は、図示は省略するが、整流回路、平滑回路、スイッチング素子、パルストランス、整流ダイオード、チョークコイル、平滑コンデンサ、還流ダイオード等を備え、電源プラグ２１から供給される電源に対して所定の電源処理を行って、第１ＰＬＣ処理部２４と、第１メイン処理部２５とに、電源スイッチ線２７を介して電源を供給する。
【００３５】
ここで、当該第１電源基板２３において行われる電源処理について簡単に説明する。
第１電源基板２３は、例えば、電力線Ｐから電源プラグ２１を介して供給される商用交流電源を、整流回路により整流して、平滑回路に供給する。平滑回路は、整流回路において整流された電源を平滑して直流電源に変換し、スイッチング素子に供給する。スイッチング素子は、例えば、ＦＥＴ（Field Effect Transistor:電界効果トランジスタ）等であり、平滑回路から供給される直流電源をオン／オフすることにより、５０／６０Ｈｚ等の高周波のパルス信号に変換し、パルストランスの一次側に印加する。パルストランスは、直流電圧が供給される一次側と、負荷に接続される二次側が絶縁されており、スイッチング素子からのパルス信号が一次側に印加されると、二次側から高周波パルスが出力される。そして、スイッチング素子がオンの場合には、パルストランスの一次側に電流が流れ、パルストランスの二次側から得られた高周波パルスを、整流ダイオードにより半波整流し、チョークコイル及びコンデンサで平滑して直流電源が発生することとなる。また、スイッチング素子がオフの場合には、フライバック電圧が発生して還流ダイオードを通じて還流電流が流れ、平滑コンデンサが充電されることとなる。
【００３６】
当該第１電源基板２３は、第１ＰＬＣ処理部２４における後述するサブＣＰＵ２４４の制御に従い、第１ＰＬＣ処理部２４に電源を供給して当該第１ＰＬＣ処理部２４を電源オン状態とするとともに、第１メイン処理部２５には電源を供給せず電源オフ状態とすることにより、第１クライアント端末装置２における待機モードを実現させる。また、第１電源基板２３は、第１ＰＬＣ処理部２４及び第１メイン処理部２５に電源を供給して電源オン状態とすることにより、第１クライアント端末装置２における電源オンモードを実現させる。
【００３７】
第１ＰＬＣ処理部２４は、例えば、変復調部２４１、アクセス処理部２４２、図示しないＤ／Ａ変換器、図示しない送信信号用のＢＰＦ、図示しない増幅器、電力線カプラ２４３、図示しない受信信号用のＢＰＦ、図示しないＡＧＣ回路、図示しないＡ／Ｄ変換器、サブＣＰＵ２４４、ＲＯＭ２４５等を備えて構成される。第１ＰＬＣ処理部２４は電源スイッチ線２７により第１電源基板２３と接続されており、第１電源基板２３から電源スイッチ線２７を介して供給される電源に基づいて、電源オンモード及び待機モードにおいて、電源オン状態に制御される。
【００３８】
電力線カプラ２４３は、例えば、図示しないトランス、コンデンサ等を用いて構成されており、電力線重畳信号を受信する受信モードにおいて、トランス及びコンデンサにより、電力線Ｐから電力線重畳信号を抽出して、後段のＢＰＦにより雑音成分を除去し、ＡＧＣ回路によって信号レベルを制御して、Ａ／Ｄ変換器によりデジタル信号に変換した後に、アクセス処理部２４２に供給する。
具体的には、電力線カプラ２４３は、電力線Ｐを介してサーバ装置１から送信されてくる電力線重畳信号（例えば、第１電源オン要求信号Ｓｇ１）を電力線Ｐから抽出する。
また、電力線カプラ２４３は、受信モードにおいて受信した第１電源オン要求信号Ｓｇ１に基づいて、電力線重畳信号（例えば、第２電源オン要求信号Ｓｇ２）を送信する送信モードにおいて、アクセス処理部２４２からヘッダ情報が付加されて送信可能なデータ形式に変換された、第２電源オン要求信号Ｓｇ２に基づく電力線重畳信号が、Ｄ／Ａ変換器、ＢＰＦ、増幅器を介して入力されると、当該電力線重畳信号を電力線Ｐに重畳して電力線通信回線４に送出し、送信先である第２クライアント端末装置３に電力線Ｐを介して送信する。
【００３９】
アクセス処理部２４２は、電力線重畳信号を受信する受信モードにおいて、電力線カプラ２４３から入力される電力線重畳信号のうち、当該第１クライアント端末装置２のアドレスを示す宛先ヘッダが付加された電力線重畳信号を取得して、取得した電力線重畳信号を変復調部２４１に送出する。
具体的には、アクセス処理部２４２は、電力線重畳信号が電力線カプラ２４３から入力されると、当該電力線重畳信号に付加されたヘッダ情報に基づいて、当該第１クライアント端末装置２のアドレスを宛先とするヘッダが付加された電力線重畳信号（例えば、第１電源オン要求信号Ｓｇ１）を取得し、これを変復調部２４１に出力する。
また、アクセス処理部２４２は、受信モードにおいて受信した第１電源オン要求信号Ｓｇ１に基づいて、電力線重畳信号（例えば、第２電源オン要求信号Ｓｇ２）を送信する送信モードにおいて、変復調部２４１から電力線重畳信号に変換された第２電源オン要求信号Ｓｇ２が入力されると、当該第２電源オン要求信号Ｓｇ２に基づく電力線重畳信号に対して、第２クライアント端末装置３のアドレスを示す宛先ヘッダと、第１クライアント端末装置２のアドレスを示す送信元ヘッダと、を付加し、後段のＤ／Ａ変換器においてアナログ信号に変換し、ＢＰＦで雑音成分を除去し、増幅器において増幅した後に、電力線カプラ２４３に出力する。
【００４０】
変復調部２４１は、電力線重畳信号を受信する受信モードにおいて、アクセス処理部２４２から入力される電力線重畳信号を復調して元のデータに変換し、第１メイン処理部２５に出力する。
具体的には、変復調部２４１は、アクセス処理部２４２から第１電源オン要求信号Ｓｇ１に基づいて変換された電力線重畳信号が入力されると、当該電力線重畳信号を復調して、元のデータ形式の第１電源オン要求信号Ｓｇ１に変換し、第１メイン処理部２５に出力する。
また、変復調部２４１は、受信モードにおいて受信した第１電源オン要求信号Ｓｇ１に基づいて、電力線重畳信号（例えば、第２電源オン要求信号Ｓｇ２）を送信する送信モードにおいて、第１メイン処理部２５から第２電源オン要求信号Ｓｇ２が入力されると、当該第２電源オン要求信号Ｓｇ２を変調して電力線重畳信号に変換し、アクセス処理部２４２に出力する。
なお、当該変復調部２４１では、サーバ装置１における変復調部１６１と同様の変調方式を用いるものとし、ここでの説明は省略する。
【００４１】
サブＣＰＵ２４４は、第１ＰＬＣ処理部２４に電源が供給されて電源オン状態とされるとともに、第１メイン処理部２５に電源が供給されずに電源オフ状態とされる待機モードにおいて、第１電源基板２３及び第１ＰＬＣ処理部２４の各部を制御する。
【００４２】
ＲＯＭ２４５は、例えば、第１受信プログラム２４５ａ、第１電源オン制御プログラム２４５ｂ、第２送信プログラム２４５ｃ等の各種制御プログラムを格納している。
【００４３】
第１受信プログラム２４５ａは、例えば、サブＣＰＵ２４４に、待機モードにおいて、サーバ装置１から電力線Ｐを介して送信された第１電源オン要求信号Ｓｇ１を受信する機能を実現させるためのプログラムである。
具体的には、サブＣＰＵ２４４は、第１ＰＬＣ処理部２４に電源が供給されて電源オン状態とされるとともに、第１メイン処理部２５に電源が供給されずに電源オフ状態とされる待機モードにおいて、第１ＰＬＣ処理部２４の電力線カプラ２４３により、電力線Ｐに重畳された電力線重畳信号が抽出されると、アクセス処理部２４２により、抽出された電力線重畳信号のうち、第１クライアント端末装置２のアドレスを示す宛先ヘッダが付加された第１電源オン要求信号Ｓｇ１に基づく電力線重畳信号を取得させる。その後、変復調部２４１により、取得した電力重畳信号を復調させて第１クライアント端末装置２の電源オンを要求する第１電源オン要求信号Ｓｇ１に変換させる。
サブＣＰＵ２４４は、かかる第１受信プログラム２４５ａを実行することにより、第１受信手段として機能する。
【００４４】
第１電源オン制御プログラム２４５ｂは、例えば、サブＣＰＵ２４４に、第１受信プログラム２４５ａの実行により受信された第１電源オン要求信号Ｓｇ１に基づいて、第１メイン処理部２５への電力供給を行って電源オンモードとして、第１クライアント端末装置２の電源をオンする機能を実現させるためのプログラムである。
具体的には、サブＣＰＵ２４４は、第１ＰＬＣ処理部２４が電源オン状態とされるとともに、第１メイン処理部２５が電源オフ状態とされる待機モードにおいて、前述した第１受信プログラム２４５ａの実行により第１電源オン要求信号Ｓｇ１が受信されると、当該第１電源オン要求信号Ｓｇ１に基づいて、電源オンを命ずる制御信号を第１電源基板２３に送出する。そして、第１電源基板２３において、電源プラグ２１を介して電力線Ｐから供給される電源に対して上述した所定の電源処理を行わせ、第１メイン処理部２５に対して電源スイッチ線２７により電源を供給することにより、電源オフ状態であった第１メイン処理部２５を電源オン状態に移行させ、第１クライアント端末装置２を電源オンモードとさせる。
サブＣＰＵ２４４は、かかる第１電源オン制御プログラム２４５ｂを実行することにより、第１電源オン制御手段として機能する。
【００４５】
第２送信プログラム２４５ｃは、例えば、サブＣＰＵ２４４に、第１受信プログラム２４５ａの実行により受信された第１電源オン要求信号Ｓｇ１に基づいて、第２クライアント端末装置３の電源オンを要求する第２電源オン要求信号Ｓｇ２を、電力線Ｐを介して第２クライアント端末装置３に送信する機能を実現させるためのプログラムである。
具体的には、第１受信プログラム２４５ａの実行により、第１電源オン要求信号Ｓｇ１が第１メイン処理部２５に入力されると、サブＣＰＵ２４４は、当該第１電源オン要求信号Ｓｇ１に基づいて、電力線Ｐを介して第１クライアント端末装置２に接続される第２クライアント端末装置３の電源オンを要求する第２電源オン要求信号Ｓｇ２を、第１ＰＬＣ処理部２４に出力させる。そして、第１ＰＬＣ処理部２４の変復調部２４１により、第２電源オン要求信号Ｓｇ２を電力線重畳信号の形式に変換させ、その後、アクセス処理部２４２により、第２クライアント端末装置３のアドレスを示す宛先ヘッダ及び第１クライアント端末装置２のアドレスを示す送信元ヘッダを付加させ、さらに、電力線カプラ２４３により、第２電源オン要求信号Ｓｇ２に基づく当該電力線重畳信号を電力線Ｐに重畳させることにより、第２クライアント端末装置３に対して電力線Ｐを介して送信する。
サブＣＰＵ２４４は、かかる第２送信プログラム２４５ｃを実行することにより第２送信手段として機能する。
【００４６】
第１メイン処理部２５は、例えば、信号処理部２５１、ＣＰＵ２５２、ＲＡＭ２５３、ＲＯＭ２５４等を備えて構成されている。第１メイン処理部２５は電源スイッチ線２７により第１電源基板２３と接続されており、第１電源基板２３から電源スイッチ線２７を介して供給される電源に基づいて、電源オンモードでは電源オン状態に、また、待機モードでは電源オフ状態に制御される。
【００４７】
信号処理部２５１は、ＣＰＵ２５２による制御により、例えば、第２クライアント端末装置３に送信する映像・音声データ再生処理等の、所定の信号処理を行う。
【００４８】
ＣＰＵ２５２は、第１ＰＬＣ処理部２４及び第１メイン処理部２５に電源が供給されて電源オン状態とされる電源オンモードにおいて、第１クライアント端末装置２の各部から入力された入力信号に応じて、ＲＯＭ２５４に格納された各種プログラムを実行するとともに，実行にかかるプログラムに基づいて各部に出力信号を出力することによって、第１クライアント端末装置２の動作全般を統括制御する。
【００４９】
ＲＡＭ２５３は、ＣＰＵ２５２によって各種プログラムが実行される際に生じる処理結果や、入力されたデータ等を一時的に記憶する。
【００５０】
ＲＯＭ２５４は、例えば、第２ＰＬＣ処理部３４及び第２メイン処理部３５に電源が供給されて電源オン状態とされる電源オンモードにおいて、ＣＰＵ２５２によって実行される各種プログラムを記憶している。
【００５１】
（第２クライアント端末装置の構成）
次に、図４を参照しながら、第２クライアント端末装置３の構成について説明する。当該第２クライアント端末装置３は、例えば、サーバ装置１を介して、再生装置等の第１クライアント端末装置２から電力線Ｐにより送信される映像・音声データに基づいて、映像・音声を出力する出力装置等であり、例えば、テレビジョン受像機、ＰＣ(Personal Computer)、プロジェクタ等を適用することができる。
図４に示すように、第２クライアント端末装置３は、電源プラグ３１と、装置本体３２内の第２電源基板３３、第２ＰＬＣ処理部３４、第２メイン処理部３５と等を備えて構成されており、電源プラグ３１により各部屋Ｒに設けられた電源ソケット４４に接続される。第２電源基板３３、第２ＰＬＣ処理部３４、第２メイン処理部３５は、それぞれ制御バス３６により接続されており、さらに、第２ＰＬＣ処理部３４及び第２メイン処理部３５は、電源スイッチ線３７により第２電源基板３３と接続される。
【００５２】
電源プラグ３１は、電力線Ｐの電源が供給される電源ソケット４４に差し込まれることにより、電力線Ｐにより伝達される電源を受電し、受電した電源を装置本体３２に伝達する。
【００５３】
第２電源基板３３は、例えば、第１電源基板２３と同様に構成され、図示は省略するが、整流回路、平滑回路、スイッチング素子、パルストランス、整流ダイオード、チョークコイル、コンデンサ、還流ダイオード等を備え、電源プラグ３１から供給される電源に対して所定の電源処理を行って、第２ＰＬＣ処理部３４と、第２メイン処理部３５とに、電源スイッチ線３７を介して電源を供給する。当該第２電源基板３３では、前述した第１クライアント端末装置２における第１電源基板２３と同様の電源処理を行っているため、ここでの説明は省略する。
【００５４】
第２ＰＬＣ処理部３４は、例えば、変復調部３４１、アクセス処理部３４２、図示しないＤ／Ａ変換器、図示しない送信信号用のＢＰＦ、図示しない増幅器、電力線カプラ３４３、図示しない受信信号用のＢＰＦ、図示しないＡＧＣ回路、図示しないＡ／Ｄ変換器、サブＣＰＵ３４４、ＲＯＭ３４５等を備えて構成される。第２ＰＬＣ処理部３４は電源スイッチ線３７により第２電源基板３３と接続されており、第２電源基板３３から電源スイッチ線３７を介して供給される電源に基づいて、電源オンモード及び待機モードにおいて、電源オン状態に制御される。
【００５５】
電力線カプラ３４３は、例えば、図示しないトランス、コンデンサ等を用いて構成されており、電力線重畳信号を受信する受信モードにおいて、トランス及びコンデンサにより、電力線Ｐから電力線重畳信号を抽出して、後段のＢＰＦにより雑音成分を除去し、ＡＧＣ回路によって信号レベルを制御して、Ａ／Ｄ変換器によりデジタル信号に変換した後に、アクセス処理部３４２に供給する。
具体的には、電力線カプラ３４３は、電力線Ｐを介して第１クライアント端末装置２から送信されてくる電力線重畳信号（例えば、第２電源オン要求信号Ｓｇ２）を電力線Ｐから抽出する。
【００５６】
アクセス処理部３４２は、電力線重畳信号を受信する受信モードにおいて、電力線カプラ３４３から入力される電力線重畳信号のうち、当該第１クライアント端末装置２のアドレスを示す宛先ヘッダが付加された電力線重畳信号を取得して、取得した電力線重畳信号を変復調部３４１に送出する。
具体的には、アクセス処理部３４２は、電力線重畳信号がＢＰＦ、ＡＧＣ回路、Ａ／Ｄ変換器を介して電力線カプラ３４３から入力されると、当該電力線重畳信号に付加されたヘッダ情報に基づいて、当該第２クライアント端末装置３のアドレスを宛先とするヘッダが付加された電力線重畳信号（例えば、第２電源オン要求信号Ｓｇ２）を取得し、これを変復調部３４１に出力する。
【００５７】
変復調部３４１は、電力線重畳信号を受信する受信モードにおいて、アクセス処理部３４２から入力される電力線重畳信号を復調して元のデータに変換し、第２メイン処理部３５に出力する。
具体的には、変復調部３４１は、アクセス処理部３４２から第２電源オン要求信号Ｓｇ２に基づいて変換された電力線重畳信号が入力されると、当該電力線重畳信号を復調して、元のデータ形式の第２電源オン要求信号Ｓｇ２に変換し、第２メイン処理部３５に出力する。
なお、当該変復調部３４１では、サーバ装置１・第１クライアント端末装置２における変復調部１６１、２４１と同様の変調方式を用いるものとし、ここでの説明は省略する。
【００５８】
また、上述の第２ＰＬＣ処理部３４では、電力線Ｐを介して電力線重畳信号を送信する送信モードでは、逆の工程がとられることとなるが、ここでの説明は省略する。
【００５９】
サブＣＰＵ３４４は、第２ＰＬＣ処理部３４に電源が供給された電源オン状態とされるとともに、第２メイン処理部３５に電源が供給されずに電源オフ状態とされる待機モードにおいて、第２電源基板３３及び第２ＰＬＣ処理部３４の各部を制御する。
【００６０】
ＲＯＭ３４５は、例えば、第２受信プログラム３４５ａ、第２電源オン制御プログラム３４５ｂ等の各種制御プログラムを格納している。
【００６１】
第２受信プログラム３４５ａは、例えば、サブＣＰＵ３４４に、待機モードにおいて、第１クライアント端末装置２から電力線Ｐを介して送信された第２電源オン要求信号Ｓｇ２を受信する機能を実現させるためのプログラムである。
具体的には、サブＣＰＵ３４４は、第２ＰＬＣ処理部３４に電源が供給されて電源オン状態とされるとともに、第２メイン処理部３５に電源が供給されずに電源オフ状態とされる待機モードにおいて、第２ＰＬＣ処理部３４の電力線カプラ３４３により、電力線Ｐに重畳された電力線重畳信号が抽出されると、アクセス処理部３４２により、抽出された電力線重畳信号のうち、第２クライアント端末装置３のアドレスを示す宛先ヘッダが付加された第２電源オン要求信号Ｓｇ２に基づく電力線重畳信号を取得させる。その後、変復調部３４１により、取得した電力重畳信号を復調させて第２クライアント端末装置３の電源オンを要求する第２電源オン要求信号Ｓｇ２に変換させる。
サブＣＰＵ３４４は、かかる第２受信プログラム３４５ａを実行することにより、第２受信手段として機能する。
【００６２】
第２電源オン制御プログラム３４５ｂは、例えば、サブＣＰＵ３４４に、第２受信プログラム３４５ａの実行により受信された第２電源オン要求信号Ｓｇ２に基づいて、第２メイン処理部３５への電源供給を行って電源オンモードとして、第２クライアント端末装置３の電源をオンする機能を実現させるためのプログラムである。
具体的には、サブＣＰＵ３４４は、第２ＰＬＣ処理部３４が電源オン状態とされるとともに、第２メイン処理部３５が電源オフ状態とされる待機モードにおいて、前述した第２受信プログラム３４５ａの実行により第２電源オン要求信号Ｓｇ２が受信されると、当該第２電源オン要求信号Ｓｇ２に基づいて、電源オンを命ずる制御信号を第２電源基板３３に送出する。そして、第２電源基板３３において、電源プラグ３１を介して電力線Ｐから供給される電源に対して上述した所定の電源処理を行わせ、第２メイン処理部３５に対して電源スイッチ線３７により電源を供給することにより、電源オフ状態であった第２メイン処理部３５を電源オン状態に移行させ、第２クライアント端末装置３を電源オンモードとさせる。
サブＣＰＵ３４４は、かかる第２電源オン制御プログラム３４５ｂを実行することにより、第２電源オン制御手段として機能する。
【００６３】
第２メイン処理部３５は、例えば、信号処理部３５１、ＣＰＵ３５２、ＲＡＭ３５３、ＲＯＭ３５４等を備えて構成されている。第２メイン処理部３５は電源スイッチ線３７により第２電源基板３３と接続されており、第２電源基板３３から電源スイッチ線３７を介して供給される電源に基づいて、電源オンモードでは電源オン状態に、また、待機モードでは電源オフ状態に制御される。
【００６４】
信号処理部３５１は、ＣＰＵ３５２による制御により、例えば、第１クライアント端末装置２から受信する映像・音声データの出力処理等の、所定の信号処理を行う。
【００６５】
ＣＰＵ３５２は、第２ＰＬＣ処理部３４及び第２メイン処理部３５に電源が供給されて電源オン状態とされる電源オンモードにおいて、第２クライアント端末装置３の各部から入力された入力信号に応じて、ＲＯＭ３５４に格納された各種プログラムを実行するとともに，実行にかかるプログラムに基づいて各部に出力信号を出力することによって、第２クライアント端末装置３の動作全般を統括制御する。
【００６６】
ＲＡＭ３５３は、ＣＰＵ３５２によって各種プログラムが実行される際に生じる処理結果や、入力されたデータ等を一時的に記憶する。
【００６７】
ＲＯＭ３５４は、例えば、第２ＰＬＣ処理部３４及び第２メイン処理部３５に電源が供給されて電源オン状態とされる電源オンモードにおいて、ＣＰＵ３５２によって実行される各種プログラムを記憶している。
【００６８】
次に、図５を参照しながら、サーバ装置１、第１クライアント端末装置２、第２クライアント端末装置３において実行される遠隔起動処理について説明する。
【００６９】
まず、サーバ装置１のＣＰＵ１７１は、キー操作部１２１におけるキー操作を監視しており、ステップＳ１において、キー操作部１２１における第２電源オンキー１２１ｂが操作されたか否かを判断する。サーバ装置１のＣＰＵ１７１は、ステップＳ１において、第２電源オンキー１２１ｂが操作されたと判断すると（ステップＳ１；Ｙｅｓ）、ステップＳ２において、ＰＬＣ処理部１６の変復調部１６１及びアクセス処理部１６２により、第１クライアント端末装置２の電源オンを要求する第１電源オン要求信号Ｓｇ１を電力線重畳信号に変換する。そして、ステップＳ３において、ＰＬＣ処理部１６の電力線カプラ１６３により、当該第１電源オン要求信号Ｓｇ１に基づく電力線重畳信号を電力線Ｐに重畳させることにより、当該第１電源オン要求信号Ｓｇ１を第１クライアント端末装置２に送信し、本処理を終了する。
【００７０】
次に、第１クライアント端末装置２の第１ＰＬＣ処理部２４におけるサブＣＰＵ２４４は、ステップＳ４において、待機モードにおいて、第１ＰＬＣ処理部２４の電力線カプラ２４３により、サーバ装置１から送信された第１電源オン要求信号Ｓｇ１に基づく電力線重畳信号が取得されると、ステップＳ５において、第１ＰＬＣ処理部２４のアクセス処理部２４２及び変復調部２４１により、当該電力線重畳信号を復調して第１電源オン要求信号Ｓｇ１に変換する。そして、ステップＳ６において、サーバ装置１から送信された第１電源オン要求信号Ｓｇ１に基づいて、電源オンを命ずる制御信号を第１電源基板２３に送出し、第１電源基板２３により、電源オフ状態であった第１メイン処理部２５に電源を供給して電源オン状態とし、第１クライアント端末装置２を待機モードから電源オンモードに移行させる。
次に、ステップＳ７において、サブＣＰＵ２４４は、第１ＰＬＣ処理部２４の変復調部２４１及びアクセス処理部２４２により、第２クライアント端末装置３の電源オンを要求する第２電源オン要求信号Ｓｇ２を電力線重畳信号に変換する。そして、ステップＳ８において、第１ＰＬＣ処理部２４の電力線カプラ２４３により、当該第２電源オン要求信号Ｓｇ２に基づく電力線重畳信号を電力線Ｐに重畳させることにより、当該第２電源オン要求信号Ｓｇ２を第２クライアント端末装置３に送信し、本処理を終了する。
【００７１】
さらに、第２クライアント端末装置３の第２ＰＬＣ処理部３４におけるサブＣＰＵ３４４は、ステップＳ９において、待機モードにおいて、第２ＰＬＣ処理部３４の電力線カプラ３４３により、第１クライアント端末装置２から送信された第２電源オン要求信号Ｓｇ２に基づく電力線重畳信号が取得されると、ステップＳ１０において、第２ＰＬＣ処理部３４のアクセス処理部３４２及び変復調部３４１により、当該電力線重畳信号を復調して第２電源オン要求信号Ｓｇ２に変換する。そして、ステップＳ１１において、第１クライアント端末装置２から送信された第２電源オン要求信号Ｓｇ２に基づいて、電源オンを命ずる制御信号を第２電源基板３３に送出し、第２電源基板３３により、電源オフ状態であった第２メイン処理部３５に電源を供給して電源オン状態とし、第２クライアント端末装置３を待機モードから電源オンモードに移行させ、本処理を終了する。
【００７２】
ここで、本実施形態１の電力線搬送通信システム１００は、第１クライアント端末装置２と、第２クライアント端末装置３との電源状態に基づく、より細かな電源制御が可能なように構成されていても良い。
具体的には、例えば、サーバ装置１には、図６に例示するような電源状態管理テーブルが備わり、第１クライアント端末装置２又は第２クライアント端末装置３が電源オン又は電源オフに移行する際に、これらの装置から送信される電源オン移行信号／電源オフ移行信号に基づいて、第１クライアント端末装置２及び第２クライアント端末装置３のそれぞれの電源状態（すなわち、電源オン／電源オフ）を格納する。そして、前述した第１送信プログラム１７３ａの実行において、電源状態管理テーブルを参照して、第１クライアント端末装置２及び第２クライアント端末装置３の電源状態を読み出し、電源状態管理テーブルから読み出した第１クライアント端末装置２及び第２クライアント端末装置３の電源状態に基づいて、サーバ装置１から出力するデータを可変とする。
例えば、第１クライアント端末装置２及び第２クライアント端末装置３が電源オフである場合には、第２クライアント端末装置３が電源オフであることを示すデータを第１電源要求信号Ｓｇ１とともに第１クライアント端末装置２に送信する。また、第１クライアント端末装置２のみが電源オフである場合には第２クライアント端末装置３が電源オンであることを示すデータを第１電源要求信号Ｓｇ１とともに第１クライアント端末装置２に送信する。また、第２クライアント端末装置３のみが電源オフである場合には、第１クライアント端末装置２が電源オンであることを示すデータを第１電源オン重畳信号Ｓｇ１とともに第２クライアント端末装置３（ここでは、第２電子機器）に送信する。さらに、第１クライアント端末装置２及び第２クライアント端末装置３が共に電源オン状態である場合には、第１電源オン要求信号Ｓｇ１を送信しないものとする。
このような構成によれば、電源がオフされている装置にのみ、電源オン要求信号が送信されることとなるため、送信にかかる無駄を省くことができる。
【００７３】
以上説明した本発明にかかる実施形態１の電力線搬送通信システム１００によれば、サーバ装置１において、ユーザによるキー操作を受け付けるキー操作部１２１が備わり、ＣＰＵ１７１による第１送信プログラム１７３ａの実行により、キー操作部１２１におけるキー操作に基づいて、第１クライアント端末装置２の電源オンを要求する第１電源オン要求信号Ｓｇ１が、電力線Ｐを介して第１クライアント端末装置２に送信される。また、第１クライアント端末装置２において、電源オンモードにおいて、電源が供給されて電源オン状態とされる第１メイン処理部２５と、第１メイン処理部２５が電源オフ状態とされる待機モードにおいて、電源が供給されて電源オン状態とされる第１ＰＬＣ処理部２４と、が備わり、第１ＰＬＣ処理部２４において、サブＣＰＵ２４４による第１受信プログラム２４５ａの実行により、待機モードにおいて、サーバ装置１から電力線Ｐを介して送信された第１電源オン要求信号Ｓｇ１が受信され、サブＣＰＵ２４４による第１電源オン制御プログラム２４５ｂの実行により、第１受信プログラム２４５ａの実行により受信された第１電源オン要求信号Ｓｇ１に基づいて、第１メイン処理部２５への電源供給が行われて電源オンモードとされ、サブＣＰＵ２４４による第２送信プログラム２４５ｃの実行により、第１受信プログラム２４５ａの実行により受信された第１電源オン要求信号Ｓｇ１に基づいて、第２クライアント端末装置３の電源オンを要求する第２電源オン要求信号Ｓｇ２が、電力線Ｐを介して第２クライアント端末装置３に送信される。さらに、第２クライアント端末装置３において、電源オンモードにおいて、電源が供給されて電源オン状態とされる第２メイン処理部３５と、第２メイン処理部３５が電源オフ状態とされる待機モードにおいて、電源が供給されて電源オン状態とされる第２ＰＬＣ処理部３４と、が備わり、第２ＰＬＣ処理部３４において、サブＣＰＵ３４４による第２受信プログラム３４５ａの実行により、待機モードにおいて、第１クライアント端末装置２から電力線Ｐを介して送信された第２電源オン要求信号Ｓｇ２が受信され、サブＣＰＵ３４４による第２電源オン制御プログラム３４５ｂの実行により、第２受信プログラム３４５ａの実行により受信された第２電源オン要求信号Ｓｇ１に基づいて、第２メイン処理部３５への電源供給が行われて電源オンモードとされる。
したがって、電力線Ｐに接続された電子機器を遠隔操作により起動させる遠隔起動システムを、電力線Ｐを介して接続された複数の電子機器間で情報の送受信を行う電力線搬送通信システム１００に適用することにより、システムの構築にかかるコストや手間を低減させることができる。また、遠隔起動の対象となる電子機器（第１クライアント端末装置２、第２クライアント端末装置３等）のＰＬＣ処理部（例えば、第１ＰＬＣ処理部２４、第２ＰＬＣ処理部３４）に電源を供給すれば、メイン処理部（例えば、第１メイン処理部２５、第２メイン処理部３５）には電源を供給する必要が無いこととなって、遠隔起動の対象となる電子機器の待機電力を低減させることができる。さらに、第１電子機器において所定のキー操作を行うだけで、当該第１電子機器に接続された第２電子機器及び第３電子機器を遠隔起動することが可能となって、電子機器の利便性を向上させることができる。
【００７４】
（実施形態２）
次に、図７〜１０を参照しながら、本発明を適用した実施形態２の電力線搬送通信システム２００について説明する。
なお、以下の説明では、実施形態１と同一部分には同じ符号を付すとともに、説明を省略することとする。
【００７５】
本実施形態２の電力線搬送通信システム２００は、例えば、図７に示すように、家屋Ｂにおいて実現されるネットワークであり、各部屋Ｒに設けられた第１電子機器としてのサーバ装置５と、第２電子機器としてのクライアント端末装置６が、電力線Ｐを利用した通信回線である電力線通信回線４を介して接続されている。
ここで、本実施形態２の電力線搬送通信システム２００では、キー操作部１２１における電源オンキー１２１ｃのキー操作に基づいて、サーバ装置５の電源がオンされると、当該サーバ装置５に電力線通信回線４を介して接続されるクライアント端末装置６も遠隔起動される構成とした。これにより、サーバ装置５を起動するだけで、クライアント端末装置６も遠隔起動されることとなるため、電力線搬送通信システム２００における利便性が向上することとなる。
【００７６】
（サーバ装置の構成）
まず、図８を参照しながら、サーバ装置５の構成について説明する。
図８に示すように、サーバ装置５は、電源プラグ１１と、リモコン１２等のキー操作部１２１と、装置本体１３内のリモコン信号受光部１４、電源基板１５、ＰＬＣ処理部１６ａ、メイン処理部１７と、等を備えて構成されており、電源プラグ１１により各部屋Ｒに設けられた電源ソケット４４に接続される。電源基板１５、ＰＬＣ処理部１６ａ、メイン処理部１７は、それぞれ制御バス１８により接続されており、さらに、ＰＬＣ処理部１６ａ及びメイン処理部１７は、電源スイッチ線１９により電源基板１５と接続される。
【００７７】
キー操作部１２１は、複数のキーを備えて構成され、例えば、サーバ装置５を遠隔操作するためのリモコン１２に備わる。リモコン１２等に備わる当該キー操作部１２１において、ユーザによりキーの押下操作がなされると、押下されたキーに対応する入力操作信号が出力され、当該入力操作信号が装置本体１３に設けられたリモコン信号受光部１４を介して、メイン処理部１７に出力されることとなる。
当該キー操作部１２１には、例えば、サーバ装置５の電源をオン／オフし、更に、当該サーバ装置５に電力線Ｐを介して接続されるクライアント端末装置６の電源を、遠隔制御によりオン／オフするための電源オンキー１２１ｃ等が備わっている。
【００７８】
ＰＬＣ処理部１６ａは、例えば、変復調部１６１、アクセス処理部１６２、図示しないＤ／Ａ変換器、図示しない送信信号用のＢＰＦ、図示しない増幅器、電力線カプラ１６３、図示しない受信信号用のＢＰＦ、図示しないＡＧＣ回路、図示しないＡ／Ｄ変換器、サブＣＰＵ１６４ａ、ＲＯＭ１６５等を備えて構成される。
【００７９】
サブＣＰＵ１６４ａは、ＰＬＣ処理部１６ａに電源が供給された電源オン状態とされるとともに、メイン処理部１７に電源が供給されずに電源オフ状態とされる待機モードにおいて、電源基板１５及びＰＬＣ処理部１６ａの各部を制御する。
【００８０】
ＲＯＭ１６５は、例えば、第１電源オン制御プログラム１６５ａ、送信プログラム１６５ｂ等の各種制御プログラムを記憶している。
【００８１】
第１電源オン制御プログラム１６５ａは、例えば、サブＣＰＵ１６４ａに、電源オンキー１２１ｃのキー操作に基づいて、当該サーバ装置５の電源をオンする機能を実現させるためのプログラムである。
具体的には、ユーザにより、リモコン１２のキー操作部１２１に備わる電源オンキー１２１ｃが押下操作されると、当該電源オンキー１２１ｃに対応する入力操作信号がリモコン信号受光部１４を介してメイン処理部１７に入力される。サブＣＰＵ１６４ａは、キー操作部１２１から電源オンキー１２１ｃに対応する入力操作信号が入力されると、当該入力操作信号に基づいて、電源オンを命ずる制御信号を電源基板１５に送出する。そして、電源基板１５において、電源プラグ１１を介して電力線Ｐから供給される電源に対して所定の電源処理を行わせ、メイン処理部１７に対して電源スイッチ線１９により電源を供給することにより、電源オフ状態であったメイン処理部１７を電源オン状態に移行させ、サーバ装置５を電源オンモードとさせる。
サブＣＰＵ１６４ａは、かかる第１電源オン制御プログラム１６５ａを実行することにより、第１電源オン制御手段として機能する。
【００８２】
送信プログラム１６５ｂは、例えば、サブＣＰＵ１６４ａに、電源オンキー１２１ｃのキー操作に基づいて、クライアント端末装置６の電源オンを要求する電源オン要求信号Ｓｇ１を、電力線Ｐを介してクライアント端末装置６に送信する機能を実現させるためのプログラムである。
具体的には、ユーザにより、リモコン１２のキー操作部１２１に備わる電源オンキー１２１ｃが押下操作されると、当該電源オンキー１２１ｃに対応する入力操作信号がリモコン信号受光部１４を介してメイン処理部１７に入力される。サブＣＰＵ１６４ａは、キー操作部１２１から電源オンキー１２１ｃに対応する入力操作信号が入力されると、電力線Ｐを介してサーバ装置５に接続されるクライアント端末装置６の電源オンを要求する電源オン要求信号Ｓｇ１を、ＰＬＣ処理部１６ａに出力させる。そして、ＰＬＣ処理部１６ａの変復調部１６１により、電源オン要求信号Ｓｇ１を電力線重畳信号の形式に変換させ、その後、アクセス処理部１６２により、クライアント端末装置６のアドレスを示す宛先ヘッダ及びサーバ装置５のアドレス示す送信元ヘッダを付加させ、さらに、電力線カプラ１６３により、電源要求信号Ｓｇ１に基づく当該電力線重畳信号を電力線Ｐに重畳させて、クライアント端末装置６に対して電力線Ｐを介して送信させる。
サブＣＰＵ１６４ａは、かかる送信プログラム１６５ｂを実行することにより送信手段として機能する。
【００８３】
（クライアント端末装置の構成）
次に、図９を参照しながら、クライアント端末装置６の構成について説明する。
図９に示すように、クライアント端末装置６は、電源プラグ２１と、装置本体２２内の電源基板２３、ＰＬＣ処理部２４ａ、メイン処理部２５と等を備えて構成されており、電源プラグ２１により各部屋Ｒに設けられた電源ソケット４４に接続される。電源基板２３、ＰＬＣ処理部２４ａ、メイン処理部２５は、それぞれ制御バス２６により接続されており、さらに、ＰＬＣ処理部２４ａ及びメイン処理部２５は、電源スイッチ線２７により電源基板２３と接続される。
【００８４】
ＰＬＣ処理部２４ａは、例えば、変復調部２４１、アクセス処理部２４２、図示しないＤ／Ａ変換器、図示しない送信信号用のＢＰＦ、図示しない増幅器、電力線カプラ２４３、図示しない受信信号用のＢＰＦ、図示しないＡＧＣ回路、図示しないＡ／Ｄ変換器、サブＣＰＵ２４４ａ、ＲＯＭ２４６等を備えて構成される。
【００８５】
サブＣＰＵ２４４ａは、ＰＬＣ処理部２４ａに電源が供給された電源オン状態とされるとともに、メイン処理部２５に電源が供給されずに電源オフ状態とされる待機モードにおいて、電源基板２３及びＰＬＣ処理部２４ａの各部を制御する。
【００８６】
ＲＯＭ２４６は、例えば、受信プログラム２４６ａ、第２電源オン制御プログラム２４６ｂ等の各種制御プログラムを格納している。
【００８７】
受信プログラム２４６ａは、例えば、サブＣＰＵ２４４ａに、サーバ装置５から電力線Ｐを介して送信された電源オン要求信号Ｓｇ１を受信する機能を実現させるためのプログラムである。
具体的には、サブＣＰＵ２４４ａは、ＰＬＣ処理部２４ａの電力線カプラ２４３により、電力線Ｐに重畳された電力線重畳信号が抽出されると、アクセス処理部２４２により、抽出された電力線重畳信号のうち、第１クライアント端末装置６２のアドレスを示す宛先ヘッダが付加された電源オン要求信号Ｓｇ１に基づく電力線重畳信号を取得させる。その後、変復調部２４１により、取得した電力重畳信号を復調させてクライアント端末装置６の電源オンを要求する電源オン要求信号Ｓｇ１に変換させる。
サブＣＰＵ２４４ａは、かかる受信プログラム２４６ａを実行することにより、受信手段として機能する。
【００８８】
第２電源オン制御プログラム２４６ｂは、例えば、サブＣＰＵ２４４ａに、受信プログラム２４６ａの実行により受信された電源オン要求信号Ｓｇ１に基づいて、当該クライアント端末装置６の電源をオンする機能を実現させるためのプログラムである。
具体的には、サブＣＰＵ２４４ａは、前述した受信プログラム２４６ａの実行により電源オン要求信号Ｓｇ１が受信されると、当該電源オン要求信号Ｓｇ１に基づいて、電源オンを命ずる制御信号を電源基板２３に送出する。そして、電源基板２３において、電源プラグ２１を介して電力線Ｐから供給される電源に対して所定の電源処理を行わせ、メイン処理部２５に対して電源スイッチ線２７により電源を供給することにより、電源オフ状態であったメイン処理部２５を電源オン状態に移行させ、クライアント端末装置６を電源オンモードとさせる。
サブＣＰＵ２４４ａは、かかる電源オン制御プログラムを実行することにより、第２電源オン制御手段として機能する。
【００８９】
次に、図１０を参照しながら、サーバ装置５及びクライアント端末装置６において実行される遠隔起動処理について説明する。
【００９０】
まず、サーバ装置５のＰＬＣ処理部１６ａにおけるサブＣＰＵ１６４ａは、待機モードにおいて、キー操作部１２１におけるキー操作を監視しており、ステップＳ２１において、キー操作部１２１における電源オンキー１２１ｃが操作されたか否かを判断する。サーバ装置５のサブＣＰＵ１６４ａは、ステップＳ２１において、電源オンキー１２１ｃが操作されたと判断すると（ステップＳ２１；Ｙｅｓ）、ステップＳ２２において、当該電源オンキー１２１ｃのキー操作に基づいて、電源オンを命ずる制御信号を電源基板１５に送出し、電源基板１５により、電源オフ状態であったメイン処理部１７に電源を供給して電源オン状態とし、クライアント端末装置６を待機モードから電源オンモードに移行させる。
次に、ステップＳ２３において、サブＣＰＵ１６４ａは、ＰＬＣ処理部１６ａの変復調部１６１及びアクセス処理部１６２により、クライアント端末装置６の電源オンを要求する電源オン要求信号Ｓｇ１を電力線重畳信号に変換する。そして、ステップＳ２４において、ＰＬＣ処理部１６ａの電力線カプラ１６３により、当該電源オン要求信号Ｓｇ１に基づく電力線重畳信号を電力線Ｐに重畳させることにより、当該電源オン要求信号Ｓｇ１をクライアント端末装置６に送信し、本処理を終了する。
【００９１】
次に、クライアント端末装置６のＰＬＣ処理部２４ａにおけるサブＣＰＵ２４４ａは、ステップＳ２５において、待機モードにおいて、ＰＬＣ処理部２４ａの電力線カプラ２４３及びアクセス処理部２４２により、サーバ装置５から送信された電源オン要求信号Ｓｇ１に基づく電力線重畳信号が取得されると、ステップＳ２６において、ＰＬＣ処理部２４ａの変復調部２４１により、当該電力線重畳信号を復調して電源オン要求信号Ｓｇ１に変換する。そして、ステップＳ２７において、サーバ装置５から送信された電源オン要求信号Ｓｇ１に基づいて、電源オンを命ずる制御信号を電源基板２３に送出し、電源基板２３により、電源オフ状態であったメイン処理部２５に電源を供給して電源オン状態とし、クライアント端末装置６を待機モードから電源オンモードに移行させ、本処理を終了する。
【００９２】
以上説明した本発明にかかる実施形態２の電力線搬送通信システム２００によれば、サーバ装置５において、電源をオンする電源オンキー１２１ｃが備わり、サブＣＰＵ１６６ａによる第１電源オン制御プログラム１６５ａの実行により、電源オンキー１２１ｃのキー操作に基づいて、当該サーバ装置５の電源がオンされ、サブＣＰＵ１６６ａによる送信プログラム１６５ｂの実行により、電源オンキー１２１ｃのキー操作に基づいて、クライアント端末装置６の電源オンを要求する電源オン要求信号が、電力線Ｐを介してクライアント端末装置６に送信される。また、クライアント端末装置６において、サブＣＰＵ２４４ａによる受信プログラム２４６ａの実行により、サーバ装置５から電力線Ｐを介して送信された電源オン要求信号が受信され、第２電源オン制御プログラム２４６ｂの実行により、受信プログラム２４６ａの実行により受信された電源オン要求信号に基づいて、当該クライアント端末装置６の電源がオンされる。
したがって、電力線Ｐに接続された電子機器を遠隔操作により起動させる遠隔起動システムを、電力線Ｐを介して接続された複数の電子機器間で情報の送受信を行う電力線搬送通信システム２００に適用することにより、システムの構築にかかるコストや手間を低減させることができる。また、サーバ装置５の電源をオンすれば、当該サーバ装置５に接続されたクライアント端末装置６の電源も自動的にオンされることとなって、電子機器の利便性を向上させることができる。
【００９３】
なお、本発明は、発明の趣旨を逸脱しない範囲において種々の改良並びに設計の変更を行っても良い。
例えば、本実施形態におけるＰＬＣ処理部は、各装置の装置本体に備わる構成となっているが、装置本体と別に設けられる構成であっても良い。例えば、部屋Ｒの電源ソケット４４と接続される電源プラグと、装置の電源プラグと接続される電源ソケット４４と、を備えるＰＬＣモデムを、部屋Ｒの電源ソケット４４と装置本体の間に設置する構成であっても良い。
また、上記実施の形態では、電子機器（例えば、実施形態１における第１クライアント端末装置２、実施形態２におけるサーバ装置５）から送信される電源オン要求信号は、ＰＬＣ処理部における制御により送信される構成として説明を行ったが、メイン処理部における制御により送信される構成であっても良い。
また、本実施形態における電子機器の種類及び数は、上記実施の形態で例示したものに限られない。
また、例えば、それぞれの電子機器の対応付けを記憶するテーブルが各電子機器に備わり、当該テーブルに基づいて電源オンが必要な電子機器を判別し、電源制御を行うように構成されていても良い。
【図面の簡単な説明】
【００９４】
【図１】実施形態１の電力線搬送通信システムの全体構成を例示する図である。
【図２】実施形態１の電力線搬送通信システムにおけるサーバ装置を例示するブロック図である。
【図３】実施形態１の電力線搬送通信システムにおける第１クライアント端末装置を例示するブロック図である。
【図４】実施形態１の電力線搬送通信システムにおける第２クライアント端末装置を例示するブロック図である。
【図５】実施形態１の電力線搬送通信システムにおける遠隔起動処理を例示する図である。
【図６】電源状態管理テーブルの例示である。
【図７】実施形態２の電力線搬送通信システムの全体構成を例示する図である。
【図８】実施形態２の電力線搬送通信システムにおけるサーバ装置を例示するブロック図である。
【図９】実施形態２の電力線搬送通信システムにおけるクライアント端末装置を例示するブロック図である。
【図１０】実施形態２の電力線搬送通信システムにおける遠隔起動処理を例示する図である。
【符号の説明】
【００９５】
１００    電力線搬送通信システム
１        サーバ装置（第１電子機器）
１２１    キー操作部
１７１    ＣＰＵ（第１送信手段）
１７３ａ  第１送信プログラム（第１送信手段）
２        第１クライアント端末装置（第２電子機器）
２４      第１ＰＬＣ処理部
２５      第１メイン処理部
２４４    サブＣＰＵ（第１受信手段、第１電源オン制御手段、第２送信手段）
２４５ａ  第１受信プログラム（第１受信手段）
２４５ｂ  第１電源オン制御プログラム（第１電源オン制御手段）
２４５ｃ  第２送信プログラム（第２送信手段）
３        第２クライアント端末装置（第３電子機器）
３４      第２ＰＬＣ処理部
３５      第２メイン処理部
３４４    サブＣＰＵ（第２受信手段、第２電源オン制御手段）
３４５ａ  第２受信プログラム（第２受信手段）
３４５ｂ  第２電源オン制御プログラム（第２電源オン制御手段）
４        電力線通信回線（通信回線）
２００    電力線搬送通信システム
５        サーバ装置（第１電子機器）
１２１ｃ  電源オンキー
１６４ａ  サブＣＰＵ（第１電源オン制御手段、送信手段）
１６５ａ  第１電源オン制御プログラム（第１電源オン制御手段）
１６５ｂ  送信プログラム（送信手段）
６        クライアント端末装置（第２電子機器）
２４４ａ  サブＣＰＵ（受信手段、第２電源オン制御手段）
２４６ａ  受信プログラム（受信手段）
２４６ｂ  第２電源オン制御プログラム（第２電源オン制御手段）
Ｐ        電力線
【図１】
2008141499.tif 000003
【図２】
2008141499.tif 000004
【図３】
2008141499.tif 000005
【図４】
2008141499.tif 000006
【図５】
2008141499.tif 000007
【図６】
2008141499.tif 000008
【図７】
2008141499.tif 000009
【図８】
2008141499.tif 000010
【図９】
2008141499.tif 000011
【図１０】
2008141499.tif 000012